(57)【要約】【課題】ゲーム機の上部蝶番の可動部と固定部を容易に嵌合して組み付けることができ、比較的少ない部品点数と作業工数で製造することができるゲーム機用蝶番を提供する。【解決手段】固定部１の水平突出部３に軸受凹部６が下側に開口し且つ前部周囲を円弧状に曲面壁部４で囲って形成される。水平突出部３の内側の軸受凹部６の外側に突部５が下向きに突設される。固定部１の軸受凹部６に嵌入可能な大径軸部１３が可動部１０の水平取付部１１上に突設される。大径軸部１３の上面に溝部１３ａが突部５を通過可能に形成される。水平突出部３の元部寄りに挿入開口部７が形成される。可動部１０の大径軸部１３を挿入開口部７から水平突出部３の軸受凹部６内に導入し、突部５を溝部１３ａに通して大径軸部１３を軸受凹部６に回動可能に嵌合する。【選択図】図２
2006161356.tif 000002
【特許請求の範囲】
【請求項１】
ゲーム機の本体枠の上角部に固定される固定部と、該固定部に軸部と軸受部との嵌合により回動可能に支持され該ゲーム機の前扉の上角部に取り付けられる可動部と、を備えたゲーム機用蝶番において、
該固定部の水平突出部の内側に軸受凹部が、下側に開口し且つ前部周囲を円弧状に曲面壁部で囲って形成され、該水平突出部内の該軸受凹部から外にシフトした位置に突部が下向きに突設され、該固定部の軸受凹部に嵌入可能な大径軸部が該可動部の水平取付部上に突設され、該大径軸部の上面に溝部が該突部を通過可能に形成され、該水平突出部の元部寄りに挿入開口部が形成され、該可動部の該大径軸部を該挿入開口部から該水平突出部の軸受凹部内に導入し、該突部を該溝部に通して該大径軸部を軸受凹部に回動可能に嵌合させることを特徴とするゲーム機用蝶番。
【請求項２】
ゲーム機の本体枠の上角部に固定される固定部と、該固定部に軸部と軸受部との嵌合により回動可能に支持され該ゲーム機の前扉の上角部に取り付けられる可動部と、を備えたゲーム機用蝶番において、
該固定部の水平突出部の内側に軸受凹部が、下側に開口し且つ前部周囲を円弧状に曲面壁部で囲って形成され、該水平突出部内の該軸受凹部の中央に突部が下向きに突設され、該固定部の軸受凹部に嵌入可能な大径軸部が該可動部の水平取付部上に突設され、該大径軸部の上面に溝部が該上面の中央から外側に向けて該突部を挿通可能に形成され、該水平突出部の元部寄りに挿入開口部が形成され、該可動部の該大径軸部を該挿入開口部から該水平突出部の軸受凹部内に導入し、該突部を該溝部に挿入して該大径軸部を軸受凹部に回動可能に嵌合させることを特徴とするゲーム機用蝶番。
【請求項３】
ゲーム機の前扉の前面に開閉可能に取り付けられる透明板枠用の蝶番の軸を嵌入させるための軸受孔が、前記可動部の水平取付部に穿設されていることを特徴とする請求項１または２記載のゲーム機用蝶番。
【発明の詳細な説明】
【技術分野】
【０００１】
本発明は、パチンコ機、スロットマシン等のゲーム機の中枠（前面枠または前扉）を本体枠に対し開閉自在に取り付けるゲーム機用蝶番に関する。
【背景技術】
【０００２】
パチンコ機の中枠を本体枠に対し開閉自在に取り付ける蝶番として、従来、上部に取り付けられる上部蝶番と下部に取り付けられる下部蝶番からなる蝶番がある。この蝶番は、上部蝶番、下部蝶番共に固定部と可動部とに分かれて形成された分離型の蝶番であり、ピンと軸受部の嵌合により可動部側が固定部側に対し回動可能に支持される。つまり、上部蝶番の固定部は本体枠の上角部に固定され、上部蝶番の可動部は中枠の上角部に固定され、下部蝶番の固定部は本体枠の下角部に固定され、下部蝶番の可動部は中枠の下角部に固定される。そして、中枠を本体枠に対し取り付ける場合、中枠を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００３】
従って、上記のように、中枠を本体枠に対し装着する際には、上角部と下角部に設けた両蝶番のピンと軸受を上下同時に嵌め合わせて行なう必要があり、加えて、パチンコ機の中枠には、パチンコ球の打ち出し装置や玉出し装置等の制御駆動装置が数多く取り付けられているため、中枠の重量は非常に重い。また、これらの中枠は、パチンコホールにおいて、作業者の手作業により本体枠側に装着されるため、このような中枠の取り付け作業は、かなり難しく、労力を必要とし、ピンと軸受の嵌合が良好にできない場合には、蝶番や他の部材を傷つけてしまう問題があった。
【０００４】
そこで、従来、下記特許文献１などにおいて、組付け作業を容易に行なうことができる分離型の蝶番が提案されている。
【特許文献１】特開平８−２１５３９５号公報
【発明の開示】
【発明が解決しようとする課題】
【０００５】
しかし、この従来の蝶番は、固定部の前部に突出した水平突出部上に、軸受孔を有する金属板を固定し、可動部上に上方に突設したピンを、その金属板を上方に弾性変形させながら、金属板の軸受孔に嵌入させる構造であるため、ゲーム機の使用中に、ドライバの先端などで金属板を押上げた場合、簡単に可動部のピンが固定部の軸受孔から外れ、中枠が不正に開放されてしまう虞があった。また、製造に際して、別部品として金属板が必要となり、固定部に金属板を取り付けるための作業工程を必要とするため、製造コストが高くなるという課題があった。
【０００６】
本発明は、上記の点に鑑みてなされたもので、ゲーム機の上部蝶番の可動部と固定部を容易に嵌合して組み付けることができ、比較的少ない部品点数と作業工数で製造することができるゲーム機用蝶番を提供することを目的とする。
【課題を解決するための手段】
【０００７】
上記目的を達成するために、本発明の請求項１のゲーム機用蝶番は、ゲーム機の本体枠の上角部に固定される固定部と、該固定部に軸部と軸受部との嵌合により回動可能に支持され該ゲーム機の中枠の上角部に取り付けられる可動部と、を備えたゲーム機用蝶番において、該固定部の水平突出部の内側に軸受凹部が、下側に開口し且つ前部周囲を円弧状に曲面壁部で囲って形成され、該水平突出部内の該軸受凹部から外にシフトした位置に突部が下向きに突設され、該固定部の軸受凹部に嵌入可能な大径軸部が該可動部の水平取付部上に突設され、該大径軸部の上面に溝部が該突部を通過可能に形成され、該水平突出部の元部寄りに挿入開口部が形成され、該可動部の該大径軸部を該挿入開口部から該水平突出部の軸受凹部内に導入し、該突部を該溝部に通して該大径軸部を軸受凹部に回動可能に嵌合させることを特徴とする。
【０００８】
また、請求項２のゲーム機用蝶番は、ゲーム機の本体枠の上角部に固定される固定部と、該固定部に軸部と軸受部との嵌合により回動可能に支持され該ゲーム機の中枠の上角部に取り付けられる可動部と、を備えたゲーム機用蝶番において、該固定部の水平突出部の内側に軸受凹部が、下側に開口し且つ前部周囲を円弧状に曲面壁部で囲って形成され、該水平突出部内の該軸受凹部の中央に突部が下向きに突設され、該固定部の軸受凹部に嵌入可能な大径軸部が該可動部の水平取付部上に突設され、該大径軸部の上面に溝部が該上面の中央から外側に向けて該突部を挿通可能に形成され、該水平突出部の元部寄りに挿入開口部が形成され、該可動部の該大径軸部を該挿入開口部から該水平突出部の軸受凹部内に導入し、該突部を該溝部に挿入して該大径軸部を軸受凹部に回動可能に嵌合させることを特徴とする。
【０００９】
ここで、上記請求項１または２の蝶番においては、請求項３のように、ゲーム機の中枠の前面に開閉可能に取り付けられる透明板扉用の蝶番の軸を嵌入させるための軸受孔を、可動部の水平取付部に穿設することができる。
【発明の効果】
【００１０】
上記請求項１のゲーム機用蝶番は、ゲーム機の本体枠の上角部に蝶番の固定部が取り付けられ、中枠の上角部に蝶番の可動部が取り付けられる。また、本体枠の下角部と中枠の下角部には、ピンとそのピンを軸支する軸受部を有する下部蝶番の固定部と可動部が取り付けられる。
【００１１】
中枠を本体枠に対し装着する場合、先ず、中枠を持って下部蝶番の可動部を本体枠側の固定部に、ピンと軸受部との嵌合により嵌め込む。ピンと軸受部は可動部または固定部の何れかとなる場合がある。
【００１２】
次に、中枠を開いた状態で、その下部蝶番を支点にして中枠を少し傾けながら、上部蝶番の可動部の水平取付部に設けた大径軸部を、固定部側の水平突出部の側部に設けた隣接開口部から内側に導入するように、中枠の可動部を固定部側に傾動させて動かす。このとき、可動部の水平取付部上の大径軸部は挿入開口部から水平突出部の内側に進入し、さらに、大径軸部の上面の溝部に、水平突出部内側の突部を通すようにガイドして、大径軸部を前方に移動させ、水平突出部の前部の軸受凹部内に嵌入させる。これにより、可動部側の大径軸部が固定部側の軸受凹部内に回動可能に嵌合され、中枠が本体枠に対し開閉可能に装着される。中枠は本体枠に対し所定の角度範囲で開閉可能とされるが、その回動角度範囲においては、突部が大径軸部の溝部に進入できず、突部が大径軸部の軸受凹部からの離脱を阻止し、中枠は開閉可能に保持され蝶番の組み付けが完了する。
【００１３】
このように、上面に溝部を有した可動部側の大径軸部と、水平突出部の内側に設けた固定部側の軸受凹部と、の嵌合により、上部蝶番を組付けるため、従来のように、金属板が不要となり、部品点数を削減し、その取付のための作業工数を削減することができる。また、可動部の大径軸部が固定部の軸受凹部に回動可能に嵌合して可動部が支持されるため、蝶番の耐荷重性が増大し、可動部に大荷重がかかる場合でも、可動部を円滑に回動させ、中枠の開閉を円滑に行なうことができる。
【００１４】
さらに、可動部の大径軸部が固定部の水平突出部の軸受凹部に嵌入した状態では、水平突出部内の軸受凹部の外に位置する突部が大径軸部の離脱を阻止するため、所定の角度範囲内の中枠の開閉においては、特に中枠が閉鎖された状態においては、大径軸部が軸受凹部から外れることはなく、不正工具を差し込んで可動部を不正に外すなどの不正行為を防止することができる。
【発明を実施するための最良の形態】
【００１５】
以下、本発明の実施の形態を図面に基づいて説明する。図１はパチンコ機などに使用されるゲーム機用蝶番の上部蝶番の平面図を示し、図２はその分解斜視図を示している。この上部蝶番は、本体枠側に固定される固定部１と中枠（前面枠）側の固定される可動部１０とから構成され、両部材は着脱可能に組み付けられる。
【００１６】
固定部１は、鋼板を正面視でＬ字形に曲折して形成した取付板部２の水平部の前部に、水平突出部３を突設し、その水平突出部３の内側（下側）に、略円柱空間状の軸受凹部６が形成される。軸受凹部６は、水平突出部３の先端部が平面視で半円形になるように、曲面壁部４で周囲を囲って形成されている。つまり、先端部の１８０度（半円周部分）の範囲が曲面壁部４で囲まれ、水平突出部３の元部側には、その曲面壁部４に続いて軸受凹部６の直径を幅間隔とする直線状の壁部がガイド壁として元部に向けて両側に形成される。この直線状の外側の壁部は、取付板部２側に向けて延設されている。このような直線状の壁部と曲面壁部４とにより、水平突出部３の下側に略円柱空間状の軸受凹部６が形成され、この軸受凹部６の内部には、後述の可動部１０の円柱状の大径軸部１３が挿入され、回動可能に保持される。
【００１７】
さらに、水平突出部３の内側下面の軸受凹部６から外にシフトした位置に、突部５が下向きに突設されている。この突部５は、軸受凹部６に後述の可動部１０の円柱状の大径軸部１３が挿入されるとき、それをガイドし、挿入後は、大径軸部１３の外周部の外側に位置し、大径軸部１３の離脱を阻止するように作用する。また、この突部５は、水平突出部３の金属板を下側に切り起して形成することができるが、下側に絞り出して形成することもでき、或は水平突出部３に穿設した小孔に小ピンを突部５としてかしめ固定して形成することもできる。また、この突部５の外径と長さは、後述の大径軸部１３の上面に設けた溝部１３ａに進入可能な大きさとされる。なお、曲面壁部４の他方の直線状の壁部は、突部５の近傍位置で終了し、そこから水平突出部３の元部にかけての下側に、大径軸部１３を軸受凹部６に挿入するための挿入開口部７が壁部を除去した状態で開口して形成されている。
【００１８】
一方、可動部１０は、ゲーム機の中枠側に取り付けられる部材で、図２に示すように、本体部分として鋼板をＬ形に曲折して水平取付部１１と垂直取付部１２を形成し、その水平取付部１１上に上記固定部１の軸受凹部１３に嵌入される大径軸部１３が突設されている。大径軸部１３は、略円柱状に形成され、その底部には異形断面の取付軸１３ｃが下側に突設され、その取付軸１３ｃを、水平取付部１１に穿設した取付軸孔１１ａに嵌入して、大径軸部１３は水平取付部１１上にかしめ固定される。
【００１９】
さらに、大径軸部１３の上面には、組み付け時に上記固定部側の突部５を導入するための、溝部１３ａが中心線上に、突部５を通すことが可能な幅と深さを持って形成されている。また、この溝部１３ａの一方の端部には、外側に向けて開く形状の開口部１３ｂが、突部５の挿入を容易とするように形成されている。また、この溝部１３ａの方向は、可動部１０を組み付ける際に移動させる方向に設定され、ここでは、垂直取付部１２の平面に沿った方向に設定される。
【００２０】
なお、可動部１０の水平取付部１１上には、図示しない透明板扉のヒンジ軸を嵌め込むための軸受孔１１ｂが穿設されている。透明板扉は、中枠３１の前面に開閉可能に装着される扉であり、中枠３１に対しヒンジを介して装着される。そのヒンジ軸を受けるための軸受孔１１ｂが本蝶番の可動部１０の水平取付部１１に設けられることにより、可動部１０が透明板扉のヒンジ軸を支持することができ、透明板扉のヒンジ軸を支持する部材を別に設ける必要がなくなる。
【００２１】
上記構成の上部蝶番の固定部１は、図４〜図６に示すように、そのＬ字状に形成された取付板部２をゲーム機の本体枠３０の左上角部上に嵌め、その取付孔と取付ねじを使用して、ゲーム機の本体枠３０の正面から向かって左角部上に、その水平突出部３を前方に出した状態で固定される。
【００２２】
一方、上部蝶番の可動部１０は、ゲーム機の中枠３１の正面に向かって左上角部に、その垂直取付部１２を中枠３１の背面側に固定して取り付けられる。中枠３１に固定された可動部１０は、図３のように、中枠３１を本体枠３０の対し略直角に位置させたとき、その大径軸部１３の溝部１３ａが中枠３１の平面に沿った方向を向くように装着される。
【００２３】
一方、図示は省略されているが、ゲーム機の本体枠３０の下角部に、下部蝶番の固定部が取付られ、固定部はその水平取付板の突出端部にピンが上方に向けて垂直に固定され、更に、ゲーム機の中枠の下角部に、下部蝶番の可動部が取付られる。この可動部の水平取付板の突出端部に、軸受部となる軸受孔がピンを挿通可能に形成される。なお、下部蝶番においては、そのピンを可動部に設け、ピンが嵌る軸受部をその固定部に設けることもできる。
【００２４】
中枠３１を本体枠３０に対し開閉可能に装着する場合、先ず、中枠３１を持って下部蝶番の可動部の軸受孔を、本体枠３０側の固定部のピンに嵌め込む。軸受孔は鋼板に穿設した孔であり、ピンと孔の嵌め合いには多少の間隙があるため、中枠３１は多少傾動可能である。
【００２５】
次に、図３に示すように、その下部蝶番を支点にして中枠３１を本体枠３０に対し約９０度開いた状態で、少し右から左に傾けながら、上部蝶番の可動部１０の水平取付部１１を、固定部１の水平突出部３の右側の挿入開口部７から水平突出部３の内側に挿入する。
【００２６】
そして、水平取付部１１上の大径軸部１３の溝部１３ａ内に、その端部の開口部１３ｂから、固定部側の水平突出部３内の突部５を導入するように位置させる。そして、図３のように、中枠３１を手前に僅かに傾動させるように動かすと、固定部１の水平突出部３の突部５が大径軸部１３の溝部１３ａにガイドされてそこを通過する。これにより、可動部１０の水平取付部１１上の大径軸部１３は、固定部側の水平突出部３内の軸受凹部６内に正確に嵌入して回動可能に保持される状態となる。
【００２７】
このとき、突部５は、大径軸部１３の外周部の外側に位置し、所定の範囲（中枠の閉鎖位置から略９０度開放位置まで）内の回動時に、大径軸部１３の軸受凹部６からの離脱を阻止するように作用する。これにより、可動部１０はこの大径軸部１３と軸受凹部６を介して固定部１に回動可能に保持され、図７に示すように、中枠３１は、本体枠３０に対し、閉鎖位置から約９０度の開放位置まで回動可能に軸支される。
【００２８】
このように、本蝶番では、上面に溝部１３ａを有した可動部１０の大径軸部１３と、水平突出部３の内側に設けた固定部１の軸受凹部６との嵌合により、上部蝶番を組付けるため、従来のように、金属板が不要となり、部品点数を削減し、その取付のための作業工数を削減することができる。また、可動部１０の大径軸部１３が固定部１の軸受凹部６に回動可能に嵌合して可動部１０が支持されるため、つまり中枠３１の荷重を支持する軸が大径の軸部となるため、蝶番の耐荷重性が増大し、可動部１０に大荷重がかかる場合でも、可動部１０を円滑に回動させ、中枠３１の開閉を円滑に行なうことができる。
【００２９】
さらに、可動部１０の大径軸部１３が固定部１の水平突出部３の軸受凹部６に嵌入した状態で、水平突出部３内側の突部５が大径軸部１３の離脱を阻止するため、所定の角度範囲内の中枠３１の開閉において、特に中枠３１が閉鎖された状態においては、大径軸部１３が軸受凹部６から外れることはなく、不正工具を差し込んで可動部を不正に外すなどの不正行為を防止することができる。
【００３０】
一方、ゲーム機の修理や保守点検などの際、中枠３１を本体枠３０から外す際、蝶番の可動部１０を固定部１より外す場合、図３のように、中枠３１を本体枠３０の前方に約９０度開いた状態とし、この状態で、中枠３１つまり可動部１０を僅かに後方に傾ければ、大径軸部１３が軸受凹部６内から後方に外れ、その状態で、可動部１０を右側に動かせば、挿入開口部７から可動部１０の水平取付部１１を退出させ、固定部１から可動部１０を外すことができる。中枠３１を所定角度以上開かない閉鎖状態では、上記のように、突部５が障害となって大径軸部１３は軸受凹部６から外れるように移動できず、可動部１０つまり中枠３１を外すことはできない。
図８〜図１０は他の実施形態を示し、この例では、固定部１の水平突出部３の内側に設けた突部５の位置が、軸受凹部６の中央（軸心位置）に配置され、可動部１０の大径軸部３３の上面に設けた溝部３３ａは、その中央（軸心位置）部から外側に向けて形成されている。その他の部分は上記蝶番の実施形態と同様であるため、図面に同じ符号を付してその部分の説明を省略する。
【００３１】
固定部１の水平突出部３には略円柱空間状の軸受凹部６が、下側に開口し且つ前部周囲を円弧状に曲面壁部４で囲って形成される。また、この水平突出部３の内側の軸受凹部６の中央（軸心位置）に、突部５５が下向きに突設される。この突部５５は円柱形に軸として形成されている。さらに、可動部１０の水平取付部１２上には、固定部１の軸受凹部６に嵌入可能な円柱状の大径軸部３３が突設される。この大径軸部３３の上面には、溝部３３ａが上面の中央（軸心位置）から外側に向けて、突部５５を挿通可能に形成されている。また、上記と同様に、水平突出部３の元部寄りには挿入開口部７が形成されている。
【００３２】
可動部１０を固定部１に組み付ける場合には、上記と同様に、図９に示すごとく、下部蝶番を支点にして中枠つまり可動部１０を本体枠つまり固定部１に対し約９０度開いた状態で、少し右から左に傾けながら、上部蝶番の可動部１０の水平取付部１１を、固定部１の水平突出部３の右側の挿入開口部７から水平突出部３の内側に挿入する。
【００３３】
そして、水平取付部１１上の大径軸部３３の溝部３３ａ内に、固定部側の水平突出部３内の突部５５を導入するように位置させる。そして、図９のように、中枠つまり可動部１０を手前に僅かに傾動させるように動かすと、固定部１の水平突出部３の突部５５が大径軸部３３の溝部３３ａ内に進入し、可動部１０の動きがガイドされ、これにより、可動部１０の水平取付部１１上の大径軸部３３は、固定部側の水平突出部３内の軸受凹部６内に正確に嵌入して回動可能に保持された状態となる。
【００３４】
このとき、突部５５は、大径軸部３３の軸心位置の溝部３３ａに嵌り込み、所定の範囲（中枠の閉鎖位置から略９０度開放位置まで）内の回動時に、大径軸部３３の軸受凹部６からの離脱を阻止するように作用する。これにより、可動部１０はこの大径軸部３３と軸受凹部６を介して固定部１に回動可能に保持され、図１０に示すように、可動部１０つまり中枠は、固定部１つまり本体枠に対し、閉鎖位置から約９０度の開放位置まで回動可能に軸支される。
【００３５】
このように、本蝶番においても、上面に溝部３３ａを有した可動部１０の大径軸部３３と、水平突出部３の内側に設けた固定部１の軸受凹部６との嵌合により、上部蝶番を組付けるため、従来のように、金属板が不要となり、部品点数を削減し、その取付のための作業工数を削減することができる。また、可動部１０の大径軸部３３が固定部１の軸受凹部６に回動可能に嵌合して可動部１０が支持されるため、つまり中枠の荷重を支持する軸が大径の軸部となるため、蝶番の耐荷重性が増大し、可動部１０に大荷重がかかる場合でも、可動部１０を円滑に回動させ、中枠の開閉を円滑に行なうことができる。
【００３６】
さらに、可動部１０の大径軸部３３が固定部１の水平突出部３の軸受凹部６に嵌入した状態で、水平突出部３内側の突部５５が大径軸部３３の離脱を阻止するため、所定の角度範囲内の中枠の開閉において、特に中枠が閉鎖された状態においては、大径軸部３３が軸受凹部６から外れることはなく、不正工具を差し込んで可動部を不正に外すなどの不正行為を防止することができる。
【図面の簡単な説明】
【００３７】
【図１】本発明の一実施形態を示す上部蝶番の固定部１と可動部１０の平面図である。
【図２】上部蝶番の固定部１と可動部１０の分解斜視図である。
【図３】固定部１に対し可動部１０を嵌め込む際の動きを示す平面図である。
【図４】中枠３１を閉じた状態の上部蝶番の斜視図である。
【図５】中枠３１を約４５度開いた状態の上部蝶番の斜視図である。
【図６】中枠３１を約９０度開いた状態の上部蝶番の斜視図である。
【図７】可動部１０（中枠３１）の開閉動作を示す平面図である。
【図８】他の実施形態の固定部１と可動部１０の平面図である。
【図９】同固定部１に対し可動部１０を嵌め込む際の動きを示す平面図である。
【図１０】同可動部１０の開閉動作を示す平面図である。
【符号の説明】
【００３８】
１−固定部
２−取付板部
３−水平突出部
４−曲面壁部
５−突部
６−軸受凹部
７−挿入開口部
１０−可動部
１１−水平取付部
１３−大径軸部
１３ａ−溝部
【図１】
2006161356.tif 000003
【図２】
2006161356.tif 000004
【図３】
2006161356.tif 000005
【図４】
2006161356.tif 000006
【図５】
2006161356.tif 000007
【図６】
2006161356.tif 000008
【図７】
2006161356.tif 000009
【図８】
2006161356.tif 000010
【図９】
2006161356.tif 000011
【図１０】
2006161356.tif 000012